(57)【要約】【課題】ケーブルを外さずに小型ビデオカメラの挿入・取外しが可能であり、かつ、ビューファインダの重量に耐えうる強度を確保しつつスリム化したカメラ拡張装置を提供する。【解決手段】小型ビデオカメラ２０を載置する載置部１とビューファインダ４０を支持するマウント部４とを備えた拡張装置１００において、載置部１のカメラ操作者側に一対のボディー２Ｌ,２Ｒを立設させて小型ビデオカメラ２０を挿入する上方を開放させた挿入空間Ｓを形成する一方、一端がボディー２ＲにＸ１を軸線とする軸回りに回動可能に連結され、他端にマウント部４の一端がＸ２を軸線とする軸回りに回動可能に連結されるリンクアーム５と、ボディー２Ｒの上部でマウント部４をスライド可能でかつＸ３を軸線とする軸回りに回動可能に係合する係合手段６とを備え、マウント部４をボディー２Ｒ側にスライドさせつつ回動させることによって挿入空間Ｓの上方を開放可能に構成した。【選択図】図１
2014096678.tif 000002
【特許請求の範囲】
【請求項１】
ハンディ型ビデオカメラを載置する載置部と、ビューファインダを支持するマウント部とを備え、前記ハンディ型ビデオカメラの機能を拡張して当該ハンディ型ビデオカメラを大型ビデオカメラとして使用可能にするカメラ拡張装置において、
前記載置部のカメラ操作者側に一対のボディーを立設させ、当該一対のボディー間に前記ハンディ型ビデオカメラを挿入する上方を開放させた挿入空間を形成する一方、
一端が一方の前記ボディーに前記ハンディ型ビデオカメラの挿入方向と略平行な軸回りに回動可能に連結され、他端に前記マウント部の一端が前記ハンディ型ビデオカメラの挿入方向と略平行な軸回りに回動可能に連結されるリンクアームと、
前記一方のボディーの上部で、前記マウント部を、スライド可能で、かつ、前記ハンディ型ビデオカメラの挿入方向と略平行な軸回りに回動可能に係合する係合手段と、
を備え、
前記マウント部を、前記一対のボディーの上部で支持される前記ビューファインダの使用位置から前記一方のボディー側にスライドさせつつ回動させることによって、前記挿入空間の上方を開放可能に構成したカメラ拡張装置。
【請求項２】
前記係合手段は、
前記一方のボディーの上部に設けられ、前記ハンディ型ビデオカメラの挿入方向と略平行な軸回りに回動可能なガイド部材と、
前記マウント部の下面に固定され、前記ガイド部材に対してスライド可能に係合する係合部材と、
を備えて構成される請求項１に記載のカメラ拡張装置。
【請求項３】
前記マウント部の他端を他方の前記支持ボディーの上部に解除可能に係止する係止手段を更に備えた請求項１又は２に記載のカメラ拡張装置。
【請求項４】
前記係止状態の前記マウント部を前記係止の解除方向に弾性付勢する付勢手段を更に備えた請求項３に記載のカメラ拡張装置。
【請求項５】
前記付勢手段は、前記他方のボディーの上部と、前記リンクアームの前記ボディー側の側面とに設けられる請求項４に記載のカメラ拡張装置。
【請求項６】
前記リンクアームの前記一端側の前記軸周りの回動を抑制するダンパーを更に設けた請求項１〜５のいずれか１つに記載のカメラ拡張装置。
【発明の詳細な説明】
【技術分野】
【０００１】
本発明は、ハンディ型ビデオカメラが載置され、このハンディ型ビデオカメラの機能を拡張するカメラ拡張装置に関する。
【背景技術】
【０００２】
テレビ局のスタジオ等において、ハンディ型ビデオカメラに大型のレンズを接続しこのハンディ型ビデオカメラの機能を拡張して大型ビデオカメラとして使用可能にするカメラ拡張装置が用いられている。従来のカメラ拡張装置として、例えば、特許文献１に記載されたカメラ拡張装置が知られている。特許文献１に記載されたカメラ拡張装置は、カメラ操作者側にハンディ型ビデオカメラを挿入する挿入口を設け、この挿入口を上下方向の一軸支持による扉（開閉蓋）で開閉すると共に、この扉の上部に撮影する映像をカメラ操作者が視認するためのビューファインダを支持するマウント部を設けて構成されている。
【先行技術文献】
【特許文献】
【０００３】
【特許文献１】特開２００６−１９１３９６号公報
【発明の概要】
【発明が解決しようとする課題】
【０００４】
しかしながら、特許文献１に記載された従来のカメラ拡張装置では、例えば、扉を開けてハンディ型ビデオカメラを挿入した後、ハンディ型ビデオカメラに接続されているケーブルを一旦外して扉の中央の開口部を通してからハンディ型ビデオカメラに再接続して扉を閉めなければならない。また、ハンディ型ビデオカメラをカメラ拡張装置から取外す場合においても、ケーブルを取外さなければならない。
【０００５】
本発明は上記問題点に着目してなされたもので、ハンディ型ビデオカメラを、ケーブルを外さずに着脱可能であり、かつ、ビューファインダの重量に耐えうる強度を確保しつつスリム化したカメラ拡張装置を提供することを目的とする。
【課題を解決するための手段】
【０００６】
このため、本発明は、ハンディ型ビデオカメラを載置する載置部と、ビューファインダを支持するマウント部とを備え、前記ハンディ型ビデオカメラの機能を拡張して当該ハンディ型ビデオカメラを大型ビデオカメラとして使用可能にするカメラ拡張装置において、前記載置部のカメラ操作者側に一対のボディーを立設させ、当該一対のボディー間に前記ハンディ型ビデオカメラを挿入する上方を開放させた挿入空間を形成する一方、一端が一方の前記ボディーに前記ハンディ型ビデオカメラの挿入方向と略平行な軸回りに回動可能に連結され、他端に前記マウント部の一端が前記ハンディ型ビデオカメラの挿入方向と略平行な軸回りに回動可能に連結されるリンクアームと、前記一方のボディーの上部で、前記マウント部を、スライド可能で、かつ、前記ハンディ型ビデオカメラの挿入方向と略平行な軸回りに回動可能に係合する係合手段と、を備え、前記マウント部を、前記一対のボディーの上部で支持される前記ビューファインダの使用位置から前記一方のボディー側にスライドさせつつ回動させることによって、前記挿入空間の上方を開放可能に構成したことを特徴とする。
【発明の効果】
【０００７】
本発明のカメラ拡張装置によれば、ビューファインダのマウント部を、一対のボディーの上部で支持されるビューファインダの使用位置から一方のボディー側にスライドさせつつ、回動させることによって、ハンディ型ビデオカメラの挿入空間の上方を開放可能に構成したので、上方が開放された挿入空間を介してハンディ型ビデオカメラを、ケーブルを外さずに着脱することができる。また、マウント部をその使用位置から一方のボディー側にスライド及び回動させるとき、このマウント部をリンクアームと一方のボディーの上部との２箇所で支持することができるので、ビューファインダの重量に耐えうる強度を確保しつつ、マウント部の支持機構をスリムにすることができ、カメラ操作者の視野も広げることができる。
【図面の簡単な説明】
【０００８】
【図１】本発明の一実施形態によるカメラ拡張装置を示した斜視図である。
【図２】図１のカメラ拡張装置を別の角度から示した斜視図である。
【図３】上記実施形態のカメラ拡張装置のハンディ型ビデオカメラ、箱形レンズ及びビューファインダを取付けた使用状態を示した外観図である。
【図４】上記実施形態のマウント部のカメラ操作者側から観た正面図である。
【図５】図４に示すマウント部の下面図である。
【図６】図５に示すマウント部のＢ−Ｂ線断面図である。
【図７】上記実施形態のリンクアームが連結された一方のボディーの正面図である。
【図８】図７に示すリンクアーム及び一方のボディーの上面図である。
【図９】上記実施形態のガイド部材の図８に示す軸線Ｘ３に沿う断面図である。
【図１０】上記実施形態の係止手段及び付勢手段を説明する図であり、マウント部の他端を他方のボディーの上部に係止した状態を示す部分拡大図である。
【図１１】上記実施形態の係止手段及び付勢手段を説明する図であり、マウント部の他端と他方のボディーの上部との係止を解除した状態を示す部分拡大図である。
【図１２】上記実施形態の他方のボディー側の係止手段及び付勢手段の部分斜視図である。
【図１３】上記実施形態の一方のボディー側の付勢手段を示す部分拡大図である。
【図１４】上記実施形態のカメラ拡張装置のマウント部と他方のボディーとの係止を解除した状態を示す正面図である。
【図１５】図１４の状態からマウント部を一方のボディー側へスライドさせつつ回動させた状態を示した図である。
【図１６】図１５の状態からマウント部を更に一方のボディー側へスライドさせつつ回動させた状態を示した図である。
【図１７】上記実施形態のカメラ拡張装置のハンディ型ビデオカメラ挿入時の状態を説明するための図である。
【発明を実施するための形態】
【０００９】
以下、本発明の実施形態を図面に基づいて説明する。
図１は、本発明のカメラ拡張装置としてのシステムエクスパンダー装置の一実施形態の斜視図を示す。図２は図１のシステムエクスパンダー装置を別の角度から観た斜視図である。また、図３は箱形レンズ及びビューファインダを取付けた状態のシステムエクスパンダー装置の外観図である。
【００１０】
図において、本実施形態のシステムエクスパンダー装置１００は、ハンディ型ビデオカメラ２０（図３参照）の機能を拡張してハンディ型ビデオカメラ２０を放送局で使用するスタジオカメラ等の大型ビデオカメラとして使用可能にするものであり、使用時においては、図３に示すように、ハンディ型ビデオカメラ２０のカメラ本体２１が載置されると共に、前方には大型の箱形レンズ３０が装着され、カメラ操作者側にはビューファインダ４０が取り付けられている。
本実施形態において、システムエクスパンダー装置１００は、ハンディ型ビデオカメラ２０を載置する載置部１と、箱形レンズ３０を装着するレンズ取付け部１ａと、ハンディ型ビデオカメラ２０を操作する操作部としての一対のボディー２Ｌ，２Ｒと、ビューファインダ４０を回動可能に支持する支持機構３とを備えて構成されている。
【００１１】
前記載置部１は、ハンディ型ビデオカメラ２０のレンズを取外した状態のカメラ本体２１を載置するものであり、板状に形成されている。載置部１の前端には、箱形レンズ３０を固定するレンズ取付け部１ａが設けられ、載置部１の後端（カメラ操作者側）には、ハンディ型ビデオカメラ２０の後部（光学マウント側とは反対側の端部）をレバー操作等により固定する後部固定手段１ｂが設けられている。レンズ取付け部１ａのカメラ本体側の上方にはレンズ連結レバー１ｃが設けられ、この連結レバー１ｃの回動操作により載置部１に載置されたカメラ本体２１の光学マウントを挟持してこの光学マウントをレンズ取付け部１ａを介して箱形レンズ３０側の光学マウントと接続し、カメラ本体２１の前部を載置部１に載置するように構成されている。また、レンズ取付け部１ａの側辺部と各ボディー２Ｌ、２Ｒとの間にはそれぞれカメラ本体２１の側面を保護する保護バー１ｄがそれぞれ形成されている。
【００１２】
前記一対のボディー２Ｌ，２Ｒは、載置部１のカメラ操作者側に立設されており、この一対のボディー２Ｌ，２Ｒ間に、ハンディ型ビデオカメラ２０のカメラ本体２１を光学マウント側から載置部１の上面と略水平な方向（図１に示す挿入方向Ａ）で挿入する上方を開放させた挿入空間Ｓ（後述する図１６及び図１７参照）を形成している。一対のボディー２Ｌ，２Ｒは、前述したように図３に示すビューファインダ４０の使用状態において、その上部で後述のマウント部４を支持している。各ボディー２Ｌ，２Ｒのカメラ操作者側には、それぞれカメラ操作パネル２Ｌａ，２Ｒａが設けられ、カメラ本体２１を装着後このカメラ操作パネル２Ｌａ，２Ｒａを操作することにより、ハンディ型ビデオカメラ２０をスタジオカメラとして使用できるように構成されている。また、一方のボディー２Ｒ（例えば、カメラ操作者から向かって右側のボディー）の下部の側面には、後述するリンクアーム５の一端との連結部２Ｒｂ（図１参照）が設けられ、この連結部２Ｒｂには軸孔（図示省略）が形成されている。
【００１３】
前記支持機構３は、マウント部４と、リンクアーム５と、係合手段６（後述の図１３参照）と、係止手段７と、付勢手段８（後述の図１０〜図１３参照）と、ダンパー９とを備えて構成されている。
【００１４】
前記マウント部４は、ビューファインダ４０を支持するものであり、図１及び図２に示すビューファインダ４０の使用位置において、一対のボディー２Ｌ，２Ｒの上部で支持されており、ハンディ型ビデオカメラ２０の着脱時においては、後述するように一方のボディー２Ｒ側にスライドしつつ回動するように構成されている。ビューファインダ４０は、表示部４０ａと表示部４０ａをパン方向及びチルト方向に回動可能に支持するフレーム４０ｂを備えて構成されており、マウント部４の上面にフレーム４０ｂを介して回動可能に支持されている。マウント部４の一端には、図４に示すように、リンクアーム５との連結部４ａが突設され、この連結部４ａには軸孔４ｂが形成されている。また、マウント部４の他端には、図４〜図６に示すように、係止手段７の後述する係止ピン７ａが固定支持されている。マウント部４の下面には、図５及び図５に示すＤ−Ｄ線断面図である図６に示すように、係合手段６の後述する係合部材６ｂが取付けられている。
【００１５】
前記リンクアーム５は、図７に示すように、その一端が一方のボディー２Ｒの下部にハンディ型ビデオカメラ２０の挿入方向Ａと略平行な軸回り（図１、図２及び図８にその軸線Ｘ１を一点鎖線で示す）に回動可能に連結され、図１等に示すように、他端にマウント部２の一端がハンディ型ビデオカメラ２０の挿入方向と略平行な軸回り（図１、図２及び図５等にその軸線Ｘ２を一点鎖線で示す）に回動可能に連結される。具体的には、リンクアーム５は、アームの一端にボディー２Ｒの連結部２Ｒｂを内挿可能な溝部５ｂ１（図１参照）が形成されると共に軸孔（図示省略）が形成され、この軸孔と連結部２Ｒｂの軸孔に軸を連通してボディー部２Ｒの下部に軸線Ｘ１周りに回動可能に連結される。また、リンクアーム５の他端には、マウント部４の連結部４ａを内挿可能な溝部５ｂ２（図１及び図８参照）が形成されると共に軸孔５ａ（図７参照）が形成され、この軸孔５ａと連結部４ａの軸孔４ｂ（図４参照）に軸を連通させて、マウント部４の一端をリンクアーム５の他端に、軸線Ｘ２周りで回動可能に連結する。
【００１６】
前記係合手段６は、一方のボディー２Ｒの上部で、マウント部４を、スライド可能で、かつ、ハンディ型ビデオカメラ２０の挿入方向Ａと略平行な軸回り（図７〜図９等にその軸線Ｘ３を示す）に回動可能に係合するものである。本実施形態において、係合手段６は、図７及びその上面図である図８に示すように、一方のボディー２Ｒの上部に設けられ、Ｘ３を軸線とする軸回りに回動可能なガイド部材６ａと、図５及び図６に示すように、マウント部４の下面に固定され、ガイド部材６ａに対してスライド可能に係合する係合部材としてのガイドレール６ｂとを備えて構成されている。
【００１７】
ガイド部材６ａは、具体的には、図８に示す軸線Ｘ３に沿う断面図である図９に示すように、一方のボディー２Ｒの上部に固定されたガイドブロック６ａ１に、軸線Ｘ３周りに回動可能に連結されたヒンジ６ａ２と、ヒンジ６ａ２に固定され後述するガイドレール６ｂの係合溝６ｂ１と係合可能に形成されたミニガイドキャリッジ６ａ３とを備えて構成される。
【００１８】
ガイドレール６ｂは、例えば、図５及び図６に示すように、ミニガイドキャリッジ５ａ３が係合しつつスライド可能な係合溝６ｂ１を有し、マウント部４の下面にマウント部４の長手方向に係合溝６ｂ１を延設するように固定される。
【００１９】
前記係止手段７は、図１０に示すように、マウント部４の他端を他方のボディー２Ｌの上部に解除可能に係止するものであり、例えば、図４〜図６に示すようにマウント部４の他端に設けられる係止ピン７ａと、係止を解除した状態を示す図１１及び図１２に示すように、他方のボディー２Ｌの上部に設けられるスナッチロック７ｂとを備えて構成されている。スナッチロック７ｂは、係止ピン７ａに係止するＵ字溝が端部に形成された係止プレート７ｂ１と、係止ピン７ａをガイドするガイドブロック７ｃとを有して構成されている。係止プレート７ｂ１は、図１０の係止状態で操作ボタン７ｄが操作されると、図１１に示すように、回動して係止を解除しこの係止解除の状態を維持する一方、係止解除の状態で、カメラ操作者等によりＵ字溝がマウント部４の係止ピン７ａを介して押圧されると係止ピン７ａを係止する方向に回動するように軸支されている。
【００２０】
前記付勢手段８は、係止状態のマウント部４を係止の解除方向に弾性付勢するものであり、例えば、他方のボディー２Ｌの上部と、リンクアーム５のボディー２Ｒ側の側面とに設けられる。具体的には、付勢手段８は、例えば、他方のボディー２Ｌの上部に設けられるプランジャ８ａ（図１０〜図１２参照）と、リンクアーム５の内側に設けられる板ばね８ｂ（図１３参照）とを備えて構成される。プランジャ８ａは、図１０に示すように、係止状態においてマウント部４の他端の下面を上方へ付勢し、板ばね８ｂは、係止状態において一方のボディー２Ｒの板ばね８ｂに対応した位置に設けられた保護ブロック８ｃ（図１３参照）に当接して、マウント部４を係止解除方向にスライド及び回動するように配置されている。
【００２１】
ダンパー９は、リンクアーム５の一端側（一方のボディー２Ｒの下部側）の軸周り、つまり、Ｘ３を軸線とする軸回りの回動を抑制するものであり、例えば、ウイング式のダンパーを、図１に示すように、一方のボディー２Ｒの下部に設けて構成する。
【００２２】
次に、本実施形態のカメラ拡張装置１におけるハンディ型ビデオカメラの挿入時の動作を、図１、図３及び図１４〜図１７を用いて概略説明する。なお、図１及び図１４〜図１６では図の簡略化のためビューファインダ４０を図示省略する。また、ハンディ型ビデオカメラの取外し時の動作については、挿入時の動作と逆の順序であるため説明を省略する。
【００２３】
まず、図１に示すマウント部４の係止状態において、カメラ操作者等により操作ボタン７ｄが操作されると、マウント部４と他方のボディー２Ｌとの係止が解除される。このとき、マウント部４は、プランジャ７ａ及び板ばね７ｂの付勢力により係止の解除方向にスライド及び回動し、付勢力とダンパー８の制動力とをバランスさせた、例えば、図１４に示す位置で停止する。この状態から、例えば、カメラ操作者等によりマウント部２が一方のボディー２Ｒ側へ押され続けると、図１５に示すように、マウント部２は一方のボディー２Ｒ側にスライドしつつ回動する。そして、例えば、ビューファインダ４０及びマウント部４の重力による係止の解除方向の回動力がダンパー９の制動力より大きくなると、マウント部４は、カメラ操作者等により押されなくても、自然に解除方向にスライド及び回動可能な状態となる。そして、マウント部４は、図１６に示すように、マウント部４の他端がガイド部材６ａに当接して停止する。このようにして、マウント部４を、一対のボディーの上部で支持されるビューファインダ４０の使用位置から一方のボディー２Ｒ側にスライドさせつつ回動させることによって、図１６に示すように上方を開放させた挿入空間Ｓが形成される。
【００２４】
次に、電源等のケーブル（図示省略）を接続したまま、図１７に示すように、ハンディ型ビデオカメラ２０のカメラ本体２１を、この上方が開放された挿入空間Ｓを介して挿入する。ここで、連結レバー１ｃが回動操作されると、カメラ本体２１の光学マウントを挟持してこの光学マウントをレンズ取付け部１ａを介して箱形レンズ３０側の光学マウントと接続して、カメラ本体２１の前部を載置部１に載置し、また、後部固定手段１ｂが操作されると、カメラ本体２１の後部を載置部１の後端に固定し、図１７に示す状態になる。その後、カメラ操作者等によりマウント部４が他方のボディー２Ｌ側へ押され続け、マウント部４が図１４の状態までスライド及び回動する。そして、カメラ操作者等によりマウント部４がさらに押されると、係止プレート６ａ１が回動してマウント部４の他端が他方のボディー２Ｌに係止され、図３に示すように撮影可能な状態になる。
【００２５】
かかる本実施形態のカメラ拡張装置１によれば、ビューファインダ４０のマウント部４を、一対のボディー２Ｌ，２Ｒの上部で支持されるビューファインダ４０の使用位置から一方のボディー２Ｒ側にスライドさせつつ、回動させることによって、ハンディ型ビデオカメラ２０（２１）の挿入空間Ｓの上方を開放可能に構成したので、上方が開放された挿入空間Ｓを介してハンディ型ビデオカメラ２０（２１）を、ケーブルを外さずに着脱することができる。また、ハンディ型ビデオカメラ２０を着脱するとき、マウント部４をリンクアーム５と一方のボディー２Ｒの上部との２箇所で支持することができる。このため、ビューファインダ４０の重量に耐えうる強度を確保しつつ、例えば、上下方向の一軸支持によるものに比べてマウント部４の回動支持機構をスリムにすることができ、カメラ操作者の視野も広げることができる。
【００２６】
また、係止状態のマウント部４を係止の解除方向に弾性付勢する付勢手段８を設けることにより、係止解除されたマウント部４の他端を少し上方へ浮かすことができるため、例えば、カメラ操作者等がマウント部４を一方のボディー２Ｒ側へスライドさせ易くすることができる。
【００２７】
そして、リンクアーム５の一端側の軸周りの回動を抑制するダンパー９を設けることにより、マウント部４の急なスライド及び回動を防ぐことができる。
【００２８】
なお、本実施形態において、付勢手段８は、他方のボディー２Ｌの上部とリンクアーム５のボディー側の側面とに設ける構成としたが、これに限らず、いずれか一方にのみ設ける構成でもよい。
【００２９】
また、本実施形態において、ガイドレールを係合部材として用い、ミニガイドキャリッジをガイド部材の一部として用いた場合で説明したが、これに限らず、ガイドレールをガイド部材の一部として用い、ミニガイドキャリッジを係合部材として用いてもよい。この場合、短いガイドレールをヒンジ６ａ２に固定し、マウント部４の長手方向の幅に対応させ長さのミニガイドキャリッジをマウント部４の下面に固定して構成する。
【００３０】
以上、本発明の好ましい実施形態について説明したが、本発明は上記実施形態に制限されるものではなく、本発明の技術的思想に基づいて種々の変形及び変更が可能である。
【符号の説明】
【００３１】
１００・・・・カメラ拡張装置（システムエクスパンダー装置）
１・・・・・・載置部
２Ｌ，２Ｒ・・一対のボディー
４・・・・・・マウント部
５・・・・・・リンクアーム
６・・・・・・係合手段
６ａ・・・・・ガイド部材
６ｂ・・・・・係合部材（ガイドレール）
７・・・・・・係止手段
８・・・・・・付勢手段
９・・・・・・ダンパー
２０・・・・・ハンディ型ビデオカメラ
４０・・・・・ビューファインダ
Ａ・・・・・・挿入方向
Ｓ・・・・・・挿入空間
【図１】
2014096678.tif 000003
【図２】
2014096678.tif 000004
【図３】
2014096678.tif 000005
【図４】
2014096678.tif 000006
【図５】
2014096678.tif 000007
【図６】
2014096678.tif 000008
【図７】
2014096678.tif 000009
【図８】
2014096678.tif 000010
【図９】
2014096678.tif 000011
【図１０】
2014096678.tif 000012
【図１１】
2014096678.tif 000013
【図１２】
2014096678.tif 000014
【図１３】
2014096678.tif 000015
【図１４】
2014096678.tif 000016
【図１５】
2014096678.tif 000017
【図１６】
2014096678.tif 000018
【図１７】
2014096678.tif 000019